(57)【要約】【課題】プライバシーの保護、および、十分な採光が可能な建物を提供する。【解決手段】複数階建ての建物（１）は、下階（Ｆ２）から上階（Ｆ３）にまたがる屋内吹き抜け空間と、屋内吹き抜け空間に隣接し、下階外壁（２００）および上階外壁（３００）を含む外壁部（８０）とを備える。下階外壁（２００）および上階外壁（３００）には、光を取り入れるための下階側開口部（２０１）および上階側開口部（３０１）がそれぞれ設けられている。また、外壁部（８０）の屋外側には、下階側開口部（２０１）の下端から、上階側開口部（３０１）の途中位置までを覆うように、縦格子（６０）が設けられている。【選択図】図１
2015190166.tif 000002
【特許請求の範囲】
【請求項１】
上下方向に隣接する上階および下階を含む、複数階建ての建物であって、
前記下階から前記上階にまたがる屋内吹き抜け空間と、
前記屋内吹き抜け空間に隣接し、下階外壁および上階外壁を含む外壁部と、
前記下階外壁および前記上階外壁にそれぞれ設けられた、光を取り入れるための下階側開口部および上階側開口部と、
前記下階側開口部の下端から、前記上階側開口部の途中位置までを覆うように、前記外壁部の屋外側に設けられる縦格子とを備える、建物。
【請求項２】
前記建物は、正面から見て横方向の広がりを規定する一対の縦フレーム部と、前記一対の縦フレーム部を連結する複数の横フレーム部とを備えた門型フレーム構造によって形造られている、請求項１に記載の建物。
【請求項３】
前記外壁部と前記縦格子との間に設けられ、前記下階外壁の下端部から水平方向に延びる屋外床部をさらに備える、請求項１または２に記載の建物。
【請求項４】
前記下階は、前記建物の２階以上に位置し、
前記屋外床部は、バルコニーである、請求項３に記載の建物。
【請求項５】
前記屋外床部上には、前記屋内吹き抜け空間の前方位置に、屋外吹き抜け空間が形成されている、請求項３に記載の建物。
【請求項６】
前記下階外壁に隣接して屋内側に配置され、前記屋内吹き抜け空間と連通する第１空間と、
前記下階外壁における前記第１空間の前方位置に配置された第１開口部とをさらに備える、請求項３〜５のいずれかに記載の建物。
【請求項７】
前記縦格子は、幅方向において前記第１開口部の少なくとも一部をさらに覆うように配置される、請求項６に記載の建物。
【請求項８】
前記屋外床部は、幅方向において、前記第１開口部の前方位置にまで延びている、請求項６または７に記載の建物。
【請求項９】
前記屋内吹き抜け空間と幅方向に隣接するように前記上階外壁の屋内側に配置され、前記第１空間の上方に位置する第２空間と、
前記上階外壁における前記第２空間の前方位置に配置された第２開口部と、
前記第２開口部の屋外側に配置される上階バルコニーとをさらに備える、請求項６〜８のいずれかに記載の建物。
【発明の詳細な説明】
【技術分野】
【０００１】
本発明は、複数階建ての建物に関する。
【背景技術】
【０００２】
特開２００１−１４０４７９号公報（特許文献１）には、建物の１階正面側に、幅方向（開口方向）に長く延びるインナーバルコニーが配置され、そのインナーバルコニーの奥に、リビングとダイニングが並べて配置された建物が開示されている。この建物において、ダイニング側に位置するインナーバルコニーの前に、複数の細木が配置されている。
【０００３】
特開２０１２−１７６１３号公報（特許文献２）には、２階のインナーバルコニーや、吹き抜けのインナーテラスの屋外側全体を覆うスラット可変シャッタが設けられた建物が開示されている。この建物において、吹き抜けのインナーテラスの屋内側には、１階と２階とにそれぞれ部屋が設けられている。
【先行技術文献】
【特許文献】
【０００４】
【特許文献１】特開２００１−１４０４７９号公報
【特許文献２】特開２０１２−１７６１３号公報
【発明の概要】
【発明が解決しようとする課題】
【０００５】
都市などの密集した住宅群の狭小地では、多くの住宅は、その両横だけでなく正面側においても、他の住宅と近接して建てられている。このような場合、建物の正面側に大きな窓があっても、窓は常にカーテンが閉められた状態であることが多い。この場合、プライバシーは守られるものの、屋内へ光が差し込まず、暗い居住空間となってしまう。
【０００６】
上述のように、インナーバルコニーやインナーテラスの前方を覆うように、複数の細木やシャッタが配置された建物も存在する。しかし、これらの建物では、プライバシーを守ることができても、屋内への採光は十分ではなかった。
【０００７】
本発明は、上記のような課題を解決するためになされたものであって、その目的は、プライバシーの保護、および、十分な採光が可能な建物を提供することである。
【課題を解決するための手段】
【０００８】
この発明のある局面に従う建物は、上下方向に隣接する上階および下階を含む、複数階建ての建物であって、屋内吹き抜け空間と、外壁部と、下階側開口部および上階側開口部と、縦格子とを備える。屋内吹き抜け空間は、下階から上階にまたがって配置されている。外壁部は、屋内吹き抜け空間に隣接し、下階外壁および上階外壁を含む。下階側開口部および上階側開口部は、光を取り入れるために、下階外壁および上階外壁にそれぞれ設けられている。縦格子は、下階側開口部の下端から、上階側開口部の途中位置までを覆うように、外壁部の屋外側に設けられる。
【０００９】
好ましくは、建物は、正面から見て横方向の広がりを規定する一対の縦フレーム部と、一対の縦フレーム部を連結する複数の横フレーム部とを備えた門型フレーム構造によって形造られている。
【００１０】
好ましくは、外壁部と縦格子との間に設けられ、下階外壁の下端部から水平方向に延びる屋外床部をさらに備える。
【００１１】
下階が、建物の２階以上に位置している場合、屋外床部は、バルコニーであってもよい。
【００１２】
屋外床部上には、屋内吹き抜け空間の前方位置に、屋外吹き抜け空間が形成されていることが望ましい。
【００１３】
好ましくは、建物は、下階外壁に隣接して屋内側に配置され、屋内吹き抜け空間と連通する第１空間と、下階外壁における第１空間の前方位置に配置された第１開口部とをさらに備える。
【００１４】
縦格子は、幅方向において第１開口部の少なくとも一部をさらに覆うように配置されていてもよい。
【００１５】
屋外床部は、幅方向において、第１開口部の前方位置にまで延びていることが望ましい。
【００１６】
好ましくは、建物は、屋内吹き抜け空間と幅方向に隣接するように上階外壁の屋内側に配置され、第１空間の上方に位置する第２空間と、上階外壁における第２空間の前方位置に配置された第２開口部と、第２開口部の屋外側に配置される上階バルコニーとをさらに備える。
【００１７】
なお、屋内吹き抜け空間は、リビングに形成され、第１開口部は、透光性を有する掃出し窓であってもよい。この場合、第１空間は、ダイニングであってもよい。
【００１８】
あるいは、屋内吹き抜け空間は、玄関ホールに形成され、第１開口部は、玄関扉であってもよい。
【発明の効果】
【００１９】
本発明によれば、プライバシーの保護、および、十分な採光が可能となる。
【図面の簡単な説明】
【００２０】
【図１】本発明の実施の形態に係る建物の正面側の外観図である。
【図２】本発明の実施の形態に係る建物の上階および下階の構成例をそれぞれ示す間取り図である。
【図３】本発明の実施の形態に係る建物の屋外占有空間を示す図である。
【図４】本発明の実施の形態に係る建物の下階の他の構成例を示す間取り図である。
【発明を実施するための形態】
【００２１】
本発明の実施の形態について図面を参照しながら詳細に説明する。なお、図中同一または相当部分には同一符号を付してその説明は繰返さない。
【００２２】
図１を参照して、本実施の形態に係る建物１の概略構成について説明する。建物１は、たとえば、１階Ｆ１、２階Ｆ２、および３階Ｆ３を含む３階建ての住宅である。建物１は、都市の狭小地に建てられており、その正面側にも、別の建物が近接位置に建てられていると仮定する。本実施の形態では、正面から見て建物１の横方向（左右方向）を「幅方向」、建物１の屋内から見て正面側（屋外側）を「前方」ともいう。
【００２３】
建物１は、いわゆる門型フレーム構造（各階において一対の柱と梁とを門型に組む構造）によって形造られている。そのため、建物１の正面側には、横方向の広がりを規定する一対の縦フレーム部（壁体）９１，９２と、一対の縦フレーム部を連結する複数の横フレーム部（壁体）９３，９４，９５とが配置されている。横フレーム部９３は、建物１の上端、すなわち建物１の３階Ｆ３の天井位置に配置されている。横フレーム部９４は、２階Ｆ２と３階Ｆ３との間に配置されている。横フレーム部９５は、１階Ｆ１と２階Ｆ２との間に配置されている。門型フレーム構造によって形造られた建物１は、強度が高く、耐震性を有している。
【００２４】
図１に示されるように、建物１の１階Ｆ１の正面側には駐車スペースが設けられているため、１階正面の外壁１００は、縦フレーム部９１，９２および横フレーム部９３〜９５の前面（以下「フレーム部前面」という）よりも奥に配置されている。外壁１００には、小さい開口部１０１と、玄関扉１０２とが設けられている。
【００２５】
建物１の２階Ｆ２および３階Ｆ３の正面側の外壁部８０も、フレーム部前面よりも奥に配置されている。本実施の形態では、建物１は、フレーム部前面とほぼ同じ面上に設けられた縦格子６０を備えている。縦格子６０は、建物１の２階Ｆ２から３階Ｆ３にかけて配置されている。
【００２６】
以下に、図２をさらに参照して、縦格子６０を含む、建物１の２階Ｆ２および３階Ｆ３の特徴的な構成について、詳細に説明する。図２（Ａ），（Ｂ）には、それぞれ、建物１の２階Ｆ２（下階）および３階Ｆ３（上階）の構成が示されている。
【００２７】
本実施の形態では、建物１の２階Ｆ２および３階Ｆ３のうち、外壁部８０よりも屋内側（後方）に位置する空間を「屋内占有空間８１」、外壁部８０よりも屋外側（前方）、かつ、フレーム部前面よりも後方に位置する空間を「屋外占有空間８２」という。屋外占有空間８２も、建物１の居住者の占有空間の一部である。正面の外壁部８０は、２階外壁２００と３階外壁３００とで構成されている。
【００２８】
まず、建物１の屋内占有空間８１側の構成について説明する。図２に示されるように、屋内占有空間８１のうち、外壁部８０に隣接する位置には、２階Ｆ２から３階Ｆ３にまたがる屋内吹き抜け空間４０が設けられている。屋内吹き抜け空間４０は、２階Ｆ２の居住空間、たとえばリビング２１に形成されている。
【００２９】
また、屋内占有空間８１のうち、建物１の２階外壁２００に隣接する位置に、たとえばダイニング２２が設けられている。ダイニング２２は、リビング２１すなわち屋内吹き抜け空間４０と連通する居住空間（第１空間）である。つまり、リビング２１とダイニング２２との間の少なくとも２階外壁２００側には、仕切り壁が存在していない。リビング２１は、一方の縦フレーム部９１寄りに位置し、ダイニング２２は、他方の縦フレーム部９２寄りに位置している。
【００３０】
同様に、屋内占有空間８１のうち、建物１の３階外壁３００に隣接する位置に、たとえば寝室３２が設けられている。寝室３２は、屋内吹き抜け空間４０と幅方向に隣接する居住空間（第２空間）である。寝室３２は、ダイニング２２の上方に位置している。
【００３１】
２階外壁２００には、屋外の光を屋内に取り入れるための開口部２０１，２０２が、幅方向に隣り合って設けられている。開口部２０１は、リビング２１すなわち屋内吹き抜け空間４０の前方に設けられている。開口部２０１は、屋内吹き抜け空間４０の横幅と略同じ幅寸法を有する開閉可能な窓であり、たとえば腰高窓である。開口部２０１の上端は、２階Ｆ２の天井高さ付近に位置することが望ましいが、開口部２０１の下端は、２階Ｆ２の腰高さ付近に限定されず、床高さ付近であってもよい。なお、「腰高さ」とは、起立した成人の腰の位置付近の高さを表し、たとえば１００〜１２０ｃｍ程度である。
【００３２】
開口部２０２は、ダイニング２２の前方に設けられている。開口部２０２は、ダイニング２２の横幅と略同じ幅寸法を有する開閉可能な窓であり、たとえば掃出し窓である。このように、２階外壁２００には、２つの開口部２０１，２０２によって大開口が形成されている。
【００３３】
３階外壁３００にも、屋外の光を屋内に取り入れるための開口部３０１，３０２が、幅方向に隣り合って設けられている。開口部３０１は、屋内吹き抜け空間４０の前方に設けられている。つまり、開口部３０１は、２階Ｆ２の開口部２０１の上に位置している。開口部３０１は、屋内吹き抜け空間４０の横幅と略同じ幅寸法を有する窓であり、たとえばＦＩＸ窓であってよい。開口部３０１の下端は、３階Ｆ３の床高さ付近に位置していることが望ましい。開口部３０１の上端は、腰高さ付近および天井高さ付近のいずれであってもよい。
【００３４】
開口部３０２は、寝室３２の前方に設けられている。開口部３０２は、寝室３２の横幅と略同じ幅寸法を有する開閉可能な窓であり、たとえば掃出し窓である。このように、３階外壁３００にも、２つの開口部３０１，３０２によって大開口が形成されている。なお、建物１の強度が維持できれば、屋内吹き抜け空間４０の前方に位置する２階Ｆ２の開口部２０１と３階Ｆ３の開口部３０１とは、一続きの窓として形成されてもよい。
【００３５】
寝室３２と屋内吹き抜け空間４０との境界には、仕切り壁３２０が配置されている。仕切り壁３２０は、３階Ｆ３の床面高さから天井高さまで延びている。仕切り壁３２０の腰高さより上の位置には、開閉可能な屋内開口部３２１が設けられていることが望ましい。屋内開口部３２１は、たとえば障子窓である。屋内開口部３２１は、透光性を有していなくてもよい。この場合、屋内開口部３２１を開放することで、３階Ｆ３の寝室３２から２階のリビング２１を見下ろすことができる。したがって、３階Ｆ３の居住空間と２階Ｆ２の居住空間とに、上下の繋がりを持たせることができる。
【００３６】
次に、図３をさらに参照して、建物１の屋外占有空間８２側の構成について説明する。図３には、幅方向一方側（一方の縦フレーム部９１側）から見た屋外占有空間８２が示されている。
【００３７】
屋外占有空間８２には、２階外壁２００の開口部２０１，２０２の前方に位置する幅広のインナーバルコニー２３と、３階外壁３００の開口部３０２の前方に位置するインナーバルコニー３３とが形成されている。
【００３８】
２階Ｆ２のインナーバルコニー２３は、２階外壁２００の下端部から前方に向けて水平方向に延びる屋外床部を形成している。インナーバルコニー２３の上面（床面）２３０は、幅方向一端から他端まで、段差なくフラットであることが望ましい。インナーバルコニー２３の前端の立上り部２３１の前面は、フレーム部前面と同じ面上に位置している。
【００３９】
ここで、本実施の形態では、インナーバルコニー２３上にも、屋外吹き抜け空間５０が形成されている。屋外吹き抜け空間５０は、屋内吹き抜け空間４０の前方位置に設けられている。つまり、屋外吹き抜け空間５０は、２階Ｆ２の開口部２０１、および、３階Ｆ３の開口部３０１の前方（屋外側）に配置されている。
【００４０】
３階Ｆ３のインナーバルコニー３３は、３階外壁３００の下端部から前方に向けて水平方向に延びる屋外床部を形成している。インナーバルコニー３３は、幅方向において、屋外吹き抜け空間５０と隣接する。そのため、３階Ｆ３のインナーバルコニー３３の下面３３０が、２階Ｆ２のインナーバルコニー２３のうちのダイニング２２側の天井面となる。インナーバルコニー３３と屋外吹き抜け空間５０との上方には、３階外壁３００（外壁部８０）の上端部と横フレーム部９３との間に位置する屋外天井部９６が配置されている。
【００４１】
上述のように、建物１の正面には、上記した縦格子６０が設けられている。縦格子６０は、複数の細長い縦材により構成され、隣り合う縦材間には隙間がある。そのため、縦格子６０は、通気性と透光性とを有し、ルーバーのような機能を果たす。縦格子６０は、縦材よりも少ない横材を含んでいてもよい。
【００４２】
縦格子６０は、上下方向において、少なくとも２階Ｆ２の開口部２０１の下端から３階Ｆ３の開口部３０１の途中位置までを覆うように配置されている。具体的には、縦格子６０は、１階Ｆ１と２階Ｆ２との間に位置する横フレーム部９５の下端から、２階Ｆ２と３階Ｆ３との間に位置する横フレーム部９４を超えて、３階Ｆ３のインナーバルコニー３３の腰高壁３４の上端高さ付近にまで延びている。また、縦格子６０は、幅方向において、少なくとも開口部２０１（３０１）の横幅全てを覆うように配置されている。縦格子６０は、ダイニング２２前の開口部２０２の一部をさらに覆っていることが望ましい。縦格子６０の幅方向一方端は、一方の縦フレーム部９１上に重なっていてもよい。
【００４３】
縦格子６０が上記のような位置に配置されるため、リビング２１の前方に位置するインナーバルコニー２３は、外壁部８０と縦格子６０との間に配置される。また、屋外吹き抜け空間５０は、上部を除き、縦格子６０によって覆われる。
【００４４】
縦格子６０は、インナーバルコニー２３の立上り部２３１の前面（横フレーム部９４，９５の前面）に当接または近接した状態で、固定されている。そのため、インナーバルコニー２３のダイニング２２側の立上り部２３１には、腰高壁２４が設けられているが、リビング２１側の立上り部２３１には、腰高壁が設けられていなくてもよい。腰高壁２４は、縦格子６０が無い範囲にさえ配置されていれば、ダイニング２２前の開口部２０２の全幅に亘って配置されなくてもよい。腰高壁２４は、透光性を有していることが望ましい。
【００４５】
３階Ｆ３のインナーバルコニー３３の腰高壁３４は、インナーバルコニー３３の前方と、屋外吹き抜け空間５０側の側部とに配置されている。この腰高壁３４も、透光性を有していることが望ましい。
【００４６】
なお、インナーバルコニー２３，３３の他方側（縦フレーム部９２側）の側部には、それぞれ、たとえば側壁９７が設けられている。側壁９７は、天井部との間に開口を有していてもよい。または、側壁９７に代えて、透光性を有する腰高壁が設けられていてもよい。また、インナーバルコニー２３の一方側（縦フレーム部９１側）の側部にも、側壁９８が配置されてもよいし、透光性を有する腰高壁が設けられてもよい。
【００４７】
以上説明したように、屋内吹き抜け空間４０が形成されたリビング２１の前方には、開口部２０１，３０１がそれぞれの階に設けられている。また、建物１の正面には、開口部２０１の下端から開口部３０１の途中位置まで覆うように、目隠しとなる縦格子６０が配置されている。そのため、建物１の正面に位置する道路からの視線が遮られることはもとより、建物１の正面側に近接して建てられた他の建物から見下ろされることもなくなる。また、縦格子６０の隙間からの採光も可能である。
【００４８】
さらに、開口部３０１の上部は、光を遮るものがないため、十分な採光が可能となる。そのため、密集した住宅地に建てられた建物１であっても、空を近くに感じ取ることもできる。さらに、開口部２０１を開放した場合には、縦格子６０の隙間を通り抜ける風をリビング２１内に取り込むこともできる。したがって、リビング２１は、開放的であるだけでなく、プライバシーの保護と明るさとを兼ね備えた居心地の良い居住空間となる。
【００４９】
また、２階外壁２００と縦格子６０との間には、インナーバルコニー２３が形成されている。この場合、インナーバルコニー２３がバッファとなり、縦格子６０による閉塞感を緩和することができる。また、外部からの視線がリビング２１にまで届き難くなるため、開口部２０１に沿ってソファ７１を置くこともできる。居住者は、開口部２０１をカーテンで覆わなくても、ソファ７１に座った状態で寛ぐことができる。
【００５０】
また、リビング２１と連通するダイニング２２前には、（少なくとも一部が）縦格子６０に覆われていない開口部２０２が配置されている。そのため、居住者が活動的に動くダイニング２２は、光に満ち溢れた明るい空間となる。また、開口部２０２を通過する光はリビング２１側にまで届くため、リビング２１の採光性が高められる。また、開口部２０２前の腰高壁２４が透光性を有している場合には、リビング２１およびダイニング２２をより明るい空間とすることができる。
【００５１】
また、インナーバルコニー２３には、ダイニング２２側の開口部（掃出し窓）２０２から出入りすることができ、その床面２３０はフラットである。また、リビング２１側の前方は、縦格子６０によって覆われている。したがって、縦格子６０で覆われた部分（開口部２０１前）に、デッキテーブル７２およびデッキチェア７３を置いて、寛ぐこともできる。
【００５２】
また、インナーバルコニー２３のうち、リビング２１の前方は、屋外吹き抜け空間５０となっている。つまり、２階Ｆ２の天井高さには、屋外側へ突出する構造物（たとえば３階Ｆ３のインナーバルコニー）が存在しない。したがって、インナーバルコニー２３においても、開放的に過ごすことができる。また、３階Ｆ３のインナーバルコニー３３から、２階Ｆ２のインナーバルコニー２３を見下ろすことができるため、屋外占有空間８２においても、上下の繋がりを持たせることができる。
【００５３】
また、建物１の正面は、狭小地に建てられた住宅の居住者の多くが望む、３つの価値観（要望）が視覚化されている。１つ目は、一対の縦フレーム部９１，９２、および、複数の横フレーム部９３〜９５によって視覚化される「フレーム」である。フレームは、力強さ、すなわち耐震性を表わしている。２つ目は、縦格子６０によって視覚化される「スクリーン」である。スクリーンは、プライバシー性（プライバシーの保護）を表わしている。３つ目は、２階外壁２００および３階外壁３００に設けられた開口部２０１，２０２，３０１，３０２によって視覚化される「大開口」である。大開口は、光（明るさ）を表わしている。したがって、建物１の正面の外観によっても、居住者が感じる安心感や開放感を増長させることができる。
【００５４】
また、門型のフレーム部９１〜９５と、外形が矩形形状の縦格子６０とが組み合わせられることで、建物１の正面の意匠性を向上させることもできる。
【００５５】
なお、本実施の形態では、２階外壁２００に沿って、リビング２１とダイニング２２とが設けられることとしたが、リビング２１とダイニング２２の位置は逆であってもよい。つまり、ダイニング２２に、屋内吹き抜け空間４０が形成されてもよい。また、２階外壁２００に沿う居住空間は、リビング２１およびダイニング２２に限定されない。
【００５６】
また、２階外壁２００に沿う居住空間は、１種類のみであってもよい。つまり、寝室３２の下方に配置される空間（第１空間）と、屋内吹き抜け空間４０とが、１つの居住空間（たとえばリビング）を形成していてもよい。
【００５７】
また、建物１は、３階建てに限定されず、複数階建ての建物であればよい。たとえば、建物が４階建ての場合、建物１の２階および３階を、それぞれ３階および４階と読み替えてもよい。
【００５８】
また、建物が２階建てであるような場合には、屋内吹き抜け空間４０および屋外吹き抜け空間５０は、１階Ｆ１から２階Ｆ２にまたがって配置されてもよい。この場合、屋内吹き抜け空間４０は、１階Ｆ１の玄関ホールに形成されてもよい。この場合の建物の構成例について、図４を用いて説明する。
【００５９】
図４は、建物１Ａの玄関ホール１１に屋内吹き抜け空間４０が形成された場合の１階正面側の構成例を示す間取り図である。なお、この建物１Ａの２階の構成は、建物１の３階Ｆ３の構成と同様であってよい。建物１Ａの１階Ｆ１の正面側の構成のうち、建物１の２階Ｆ２の構成と異なる部分のみ以下に説明する。
【００６０】
図４を参照して、１階Ｆ１の屋内占有空間８１には、１階外壁１００Ａに沿って、玄関ホール１１と、玄関土間１２とが配置されている。玄関ホール１１の前方には、上記した開口部２０１と同様の開口部１０１Ａが設けられている。開口部１０１Ａは、１階外壁１００Ａに設けられ、玄関ホール１１の横幅とほぼ同じ幅寸法を有している。玄関ホール１１は、屋内吹き抜け空間４０となっており、２階外壁（図示せず）にも、屋内吹き抜け空間４０に隣接する位置に、上記した開口部３０１と同様の開口部（図示せず）が設けられている。
【００６１】
１階外壁１００Ａのうち、玄関土間１２の前方には、開口部としての玄関扉１０２が設けられている。玄関扉１０２は、たとえば、１階外壁１００Ａの中央寄りに配置されている。玄関土間１２の上方（２階）には、寝室などの居住空間（第２空間）が配置されている。
【００６２】
１階Ｆ１の屋外占有空間８２には、インナーバルコニー２３に代えて、屋外床部としての玄関前通路１３が設けられている。この場合、縦格子６０と他方の縦フレーム部９２との間は、居住者が玄関前通路１３に出入りできるように開放されていてもよい。また、縦フレーム部９２と外壁１００Ａとの間も、居住者が出入りできるように開放されていてもよい。なお、玄関前通路１３は、玄関扉１０２の前が高くなるようにスロープ状になっていてもよい。または、玄関前通路１３全体が、正面の道路と面一状であってもよい。
【００６３】
図４に示されるように、玄関扉１０２は、縦格子６０によって隠される位置に配置されることが望ましい。玄関扉１０２を開放して居住者が出入りする際に、建物１Ａ内の様子が外部から丸見えとなることが防止できるからである。
【００６４】
このような建物１Ａによれば、プライバシーに守られ、かつ、明るく開放的な玄関ホール１１とすることができる。また、玄関前通路１３のうちの、開口部１０１Ａ前の屋外吹き抜け空間５０には、たとえば自転車を置いたりすることもできる。
【００６５】
以上説明した本実施の形態では、縦格子６０が、他方の縦フレーム部９２から離れて配置されたが、縦格子６０は、一方の縦フレーム部９１から他方の縦フレーム部９２まで延びていてもよい。
【００６６】
また、本実施の形態では、外壁部８０と縦格子６０との間に、屋外床部（インナーバルコニー２３など）が介在されることとしたが、屋外床部がなく、縦格子６０が、外壁部８０に当接または近接して設けられていてもよい。
【００６７】
特にこのような場合には、建物１（１Ａ）は、門型フレーム構造を有していなくてもよい。この場合、下階の正面には、縦格子６０との横に、耐力壁が設けられていてもよい。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１，１Ａ  建物、１１  玄関ホール、１２  玄関土間、１３  玄関前通路、２１  リビング、２２  ダイニング、２３，３３  インナーバルコニー、２４，３４  腰高壁、３２  寝室、４０  屋内吹き抜け空間、５０  屋外吹き抜け空間、６０  縦格子、７１  ソファ、７２  デッキテーブル、７３  デッキチェア、８０  外壁部、８１  屋内占有空間、８２  屋外占有空間、９１，９２  縦フレーム部、９３〜９５  横フレーム部、９６  屋外天井部、９７，９８  側壁、１００，１００Ａ  １階外壁、１０１，１０１Ａ，２０１，２０２，３０１，３０２  開口部、１０２  玄関扉、２００  ２階外壁、３００  ３階外壁、３２０  仕切り壁、３２１  屋内開口部。
【図１】
2015190166.tif 000003
【図２】
2015190166.tif 000004
【図３】
2015190166.tif 000005
【図４】
2015190166.tif 000006